(57)【特許請求の範囲】
【請求項１】
断面半円弧形状による内筒部材と、
前記内筒部材の外側に、前記内筒部材に対して回動自在に保持された断面半円弧形状による外筒部材とを備え、
前記内筒部材の内部空間に人間を収納し、前記外筒部材の回動により前記内筒部材への侵入口を前記外筒部材で塞いで内部に収容した人間を保護し、
前記外筒部材は、
前記内筒部材の上端面の回動中心軸により前記内筒部材に対して回動自在に保持され、
前記上端面には、前記外筒部材の脱落を防止するレールが設けられた
耐震シェルター。
【発明の詳細な説明】
【技術分野】
【０００１】
本発明は、地震による家屋の倒壊等から住人を保護する耐震シェルターに関する。
【背景技術】
【０００２】
従来、この種の耐震シェルターが、例えば特開２０１１−１４４５４３号公報等に開示されている。
【先行技術文献】
【特許文献】
【０００３】
【特許文献１】特開２０１１−１４４５４３号公報
【発明の概要】
【発明が解決しようとする課題】
【０００４】
ところでこの種の耐震シェルターは、既存の住宅等でも簡易に設置できることが望まれる。また家屋が倒壊しても住人を充分に保護できることが望まれる。またさらに簡易な構成であることも求められる。これらの要求に対して、従来の耐震シェルターは、実用上未だ不十分な問題がある。
【０００５】
そこで本発明は、既存の住宅等でも簡易に設置することができ、また住人を十分に保護することができる簡易な構成の耐震シェルターを提案することを目的とする。
【課題を解決するための手段】
【０００６】
（１）  断面半円弧形状による内筒部材と、
前記内筒部材の外側に、前記内筒部材に対して回動自在に保持された断面半円弧形状による外筒部材とを備え、
前記内筒部材の内部空間に人間を収納し、前記外筒部材の回動により前記内筒部材への侵入口を前記外筒部材で塞いで内部に収容した人間を保護する。
【０００７】
（１）によれば、筒状金属の加工、金属板材の加工、金属鋼材を柱材として使用した金属板材の加工等により簡易に作製することができる。また可搬可能とすることができ、これにより既存の住宅等でも簡易に設置することができる。また内筒部材及び外筒部材が断面半円弧形状であるとから、侵入口を外筒部材で塞いで内部に収容した人間を保護する状態では、全体形状を円筒形状として、充分な強度を確保することができる。
【０００８】
（２）  （１）において、前記外筒部材は、
前記内筒部材の上端面の回動中心軸により前記内筒部材に対して回動自在に保持され、
前記上端面には、前記外筒部材の脱落を防止するレールが設けられる。
【０００９】
（２）によれば、一段と具体的な構成を提供することができる。
【発明の効果】
【００１０】
既存の住宅等でも簡易に設置することができ、また住人を十分に保護することができる簡易な構成の耐震シェルターを提供することができる。
【図面の簡単な説明】
【００１１】
【図１】本発明の第１実施形態の耐震シェルターを示す斜視図である。
【図２】図１の耐震シェルターの使用状態を示す斜視図である。
【図３】内筒部材を示す斜視図である。
【図４】内筒部材の上端面を示す平面図である。
【図５】外筒部材を示す斜視図である。
【図６】外筒部材の上端面を示す平面図である。
【発明を実施するための形態】
【００１２】
以下、本発明の実施形態について図面を参照しながら説明する。
【００１３】
〔第１の実施の形態〕
図１及び図２は、本発明の第１実施形態に係る耐震シェルターを示す斜視図である。図１は、使用開始時を示す斜視図であり、図２は、使用中の状態を示す斜視図である。この耐震シェルター１は、可搬可能に構成され、設置された住宅の住人等をその内部空間に収納し、当該設置場所における建築物の倒壊等から収納した住人を保護する。
【００１４】
このため耐震シェルター１は、前面設けられた侵入口２より内部に侵入して、矢印Ａにより示すように（図１）、外筒部材３を回動させて侵入口２を閉じることにより、住人を内部に収納にして保護する（図２）。またこのように外筒部材３を操作可能に、外筒部材３には内側及び外側に取っ手３Ａ及び３Ｂが設けられ、外筒部材３の回動を停止させる突起によるストッパー３Ｃが外筒部材３の内側面に設けられる。なおストッパー３Ｃは、図２に示すように侵入口を閉じるように回動させた場合には、とめ金具として機能するように構成される。また内部に住人を収納して外部の様子を観察可能に、外筒部材３には、開口３Ｄが設けられ、さらに内部には、内部を照明する照明装置が設けられる。また矢印Ｂにより示すように（図２）、内側より取っ手３Ａを把持して外筒部材３を回動させることにより侵入口２が開き（図１）、これにより外部に脱出可能とされる。このため耐震シェルター１は、回動可能に、外筒部材３を内筒部材４に配置して構成される。なお耐震シェルター１は、さらに換気扇が設けられ、これにより収容した住人の窒息等を防止する。
【００１５】
図３は、この内筒部材４を示す斜視図である。内筒部材４は、鉄等の金属板材を加工して、円筒部材を切り取った、断面半円弧形状により形成される。より具体的には、金属鋼材を骨材として組み立てた後、この骨材に金属板材を配置して作成されるものの、作成方法は種々の手法を適用することができる。内筒部材４は、金属板材により下端面が蓋４Ｌにより閉じられ、設置用の脚部４Ａが一定のピッチにより蓋４Ｌに設けられる。また上端面４Ｕに、外筒部材３を回動可能に保持する回動中心軸部材６、この回動中心軸部材６を回動軸にした回動において、外筒部材３の脱落を防止するレール７が設けられる。また下方の外周には、外筒部材３の外周をガイドするレール９が設けられる。
【００１６】
図４は、この上端面４Ｕを詳細に示す平面図である。内筒部材４の上端面は、円筒形状に係る中心軸に、円柱形状の回動中心軸部材６が設けられる。またこの部材６による回動中心軸を中心にして同心円状に、第１及び第２のレール７Ａ及び７Ｂが設けられ、この２つのレール７Ａ及び７Ｂにより外筒部材３をガイドするガイド溝８が作成される。
【００１７】
図５は、外筒部材３を示す斜視図である。この外筒部材３は、内筒部材４より大径の円筒部材を切り取った形状により形成され、断面半円弧形状により形成される。外筒部材３は、内筒部材４と同様に、鉄等の金属板材を加工して、より具体的には、金属鋼材を骨材として組み立てた後、この骨材に金属板材を配置して作成されるものの、作成方法は種々の手法を適用することができる。なお外筒部材３及び内筒部材４は、侵入口２を閉じた状態で、円周方向の端部が重なり合うように形状が選定される。外筒部材３は、図６に示すように、上端面３Ｕの中央に、貫通孔１０が設けられ、この貫通孔１０に、内筒部材４の回動中心軸部材６を挿通して回動自在に内筒部材４に配置される。またこの貫通孔１０を中心にしてリング状にレール１１が配置され、このレール１１が、内筒部材４のガイド溝８に噛み合って、内筒部材４からの脱落が防止される。また下部の内周には、内筒部材４のレール９に上方より当接するレール１２が設けられ、これにより円滑に回動できるように内筒部材４に保持される。
【００１８】
以上の構成によれば、断面半円弧形状による内筒部材の外側に、回動自在に断面半円弧形状による外筒部材を配置し、外筒部材の回動により内筒部材への侵入口を外筒部材で塞いで内部に収容した人間を保護することにより、筒状金属の加工、金属板材の加工等により簡易に作製することができる。また可搬可能とすることができ、これにより既存の住宅等でも簡易に設置することができる。また内筒部材及び外筒部材が断面半円弧形状であるとから、内筒部材の開口を外筒部材で塞いで内部に収容した人間を保護する状態では、全体形状を円筒形状として、充分な強度を確保することができる。
【００１９】
〔他の実施の形態〕
以上、本発明の実施に好適な具体的な構成を詳述したが、本発明は、本発明の趣旨を逸脱しない範囲で、上述の実施形態の構成を種々に変更することができる。
【００２０】
すなわち上述の実施形態では、レール７Ａ、７Ｂ、９、１１、１２によち脱落を防止して円滑に回動するように外筒部材を保持する場合について述べたが、本発明はこれに限らず、例えばローラにより円滑に回動するように保持する場合等、種々の保持方法を広く適用することができる。
【００２１】
また上述の実施形態では、回動中心軸部材により外筒部材を回動可能に保持する場合について述べたが、本発明はこれに限らず、例えばガイド溝８とレール１１のみにより回動自在に保持する場合等、種々の保持方法を広く適用することができる。
【符号の説明】
【００２２】
１  耐震シェルター
２  侵入口
３  外筒部材
３Ａ、３Ｂ  取っ手
３Ｃ  ストッパー
３Ｄ  開口
３Ｕ  上端面
４  内筒部材
４Ａ  脚部
４Ｕ  上端面
６  回動中心軸部材
７Ａ、７Ｂ、９、１１、１２  レール
８  ガイド溝
１０  貫通孔
【図１】
0005469137.tif 000002
【図２】
0005469137.tif 000003
【図３】
0005469137.tif 000004
【図４】
0005469137.tif 000005
【図５】
0005469137.tif 000006
【図６】
0005469137.tif 000007